(57)【要約】【課題】外部からガラス面板を部分的に破壊して、施錠装置に手を伸ばすことを阻止し、犯罪行為の抑止を意図したガラス引戸用施錠装置の保護構造を提供する。【解決手段】引違い式ガラス引戸の外枠を構成する框に、該引戸の施錠装置を囲み、引戸を構成するガラス面板７の屋内側面と平行となるように、金属板やプラスチック板等の硬質板体よりなる保護板部６ａを有する保護板材８を設け、犯罪者が屋外から、ガラス面板７を割って、施錠装置にアクセスすることを防止する。【選択図】　　　　図１
2004092168.tif 000002
【特許請求の範囲】
【請求項１】
引違い式ガラス引戸の外枠を構成する框に、該引戸の施錠装置を囲み、引戸を構成するガラス面板の屋内側面と平行となるように、硬質板体よりなる保護板部を有する保護板材を設けていることを特徴とする引き戸用施錠装置の保護構造。
【請求項２】
引違い式ガラス引戸の一方及び他方の外枠を構成する召し合わせ框に、フック金具及び該フック金具に係脱可能に係合される施錠金具を設けた引戸用施錠装置の保護構造において、
屋内側の引戸の前記召し合わせ框に、前記施錠装置を囲み、屋外側の引戸を構成するガラス面板の屋内側面と平行となるように、硬質板体よりなる保護板部を有する保護板材を設けていることを特徴とする引き戸用施錠装置の保護構造。
【請求項３】
前記保護板材は、前記ガラス面板に沿う保護板部と前記框に固定される取付け部とが、断面略Ｌ形に形成されていることを特徴とする請求項１又は２に記載の引き戸用施錠装置の保護構造。
【請求項４】
請求項２に記載の引戸用施錠装置の保護構造において、前記保護板材とは別に、屋内側の召し合わせ框に前記施錠金具とは反対側で、そのガラス面板に沿って延びる第２の保護板材を装備していることを特徴とする引き戸用施錠装置の保護構造。
【請求項５】
請求項２乃至４に記載の引戸用施錠装置の保護構造において、前記保護板材とは別に、屋外側の引戸の下框（あるいは上框）に装着した補助用施錠金具の周囲を囲う第３の保護板材を装備していることを特徴とする引き戸用施錠装置の保護構造。
【発明の詳細な説明】
【０００１】
【発明の属する技術分野】
本発明は、主として、掃き出し口、窓、玄関などの引き違い式ガラス引戸において、屋内側に装備される施錠装置の保護構造に関するものである。
【０００２】
【従来の技術】
上述の引き違い式引戸では、ガラス面板が破損した際に、その飛び散りを防止するためと、防犯上の理由から、ガラス面板への樹脂フイルムの貼り付けや、合わせガラスが多く採用されている。それでも、犯罪者は、施錠装置の個所を狙って、部分的に、ガラス面板を破壊して、前記施錠装置の解除を行い、家屋への潜入を謀ろうとする。
【０００３】
【発明が解決しようとする課題】
本発明は、上記事情に基づいてなされたもので、少なくとも、外部からガラス面板を部分的に破壊して、施錠装置に手を伸ばすことを阻止し、犯罪行為の抑止を意図した引き戸用施錠装置の保護構造を提供することを目的とする。
【０００４】
【課題を解決するための手段】
上記目的を達成するため、本発明では、その実施の形態でも明らかにしたように、引違い式ガラス引戸の外枠を構成する框に、該引戸の施錠装置を囲み、引戸を構成するガラス面板７の屋内側面と平行となるように、金属板や硬質プラスチック板等の硬質板体よりなる保護板部６ａを有する保護板材８を固定して設けていることを特徴としている。
【０００５】
また、本発明では、引違い式ガラス引戸の一方及び他方の外枠を構成する召し合わせ框２ａに、フック金具３及び該フック金具３に係脱可能に係合される施錠金具４を設けた引戸用施錠装置の保護構造において、屋内側引戸５の前記召し合わせ框２ａに、施錠装置（フック金具３若しくは施錠金具４）を囲み、屋外側引戸５を構成するガラス面板７の屋内側面と平行となるように、硬質板体よりなる保護板部６ａを有する保護板材６を固定して設けていることを特徴としている。
【０００６】
前記保護板材６は、前記ガラス面板７に沿う保護板部６ａと前記框に固定される取付け部６ｂとが、断面略Ｌ形に形成されていることを特徴としている。また保護板部６ａには、施錠装置（フック金具３若しくは施錠金具４）を囲む窓口６ｃを有している。
【０００７】
また、前記保護板材６とは別に、屋内側の召し合わせ框５ａに前記施錠装置とは反対側で、そのガラス面板７に沿って延びる第２の保護板材８を固定して設けることができる。
【０００８】
さらに、前記保護板材６又は第２の保護板材８とは別に、屋外側の引戸の下框２ｂ（あるいは上框）に装着した補助用施錠金具９の周囲を囲う第３の保護板材１０を装備することができる。
【０００９】
このような構成では、犯罪者が屋外から、ガラス面板７を割って、施錠装置にアクセスしようとしても、保護板材６、第２の保護板材８あるいは第３の保護板材１０によって、手を施錠装置に伸ばすことが困難となり、更に、大きくガラス面板７を破壊しなくてはならない。また、引戸のガラス面板７は、保護板材６の保護板部６ａによって、裏面側（屋内側）から保護されており、破壊強度が向上している。従って、ガラス面板７の破壊に相当に時間を要することとなるので、当初から、第３者による犯罪行為の発覚を恐れて潜入を断念することにもなる。まして、施錠個所が複数にも及ぶ場合には、当初から潜入自体を断念させる利点も発揮できる。
【００１０】
【発明の実施の形態】
以下、本発明の実施の形態を、図面を参照しながら、具体的に説明する。この実施の形態での施錠装置は、引違い式ガラス引戸１の屋外側引戸２の召し合わせ框２ａにフック金具３を設け、このフック金具３に係脱可能に係合される施錠金具４を屋内側引戸５の召し合わせ框５ａに設けたもので、屋内側の召し合わせ框５ａに、施錠金具４の操作部４ａを外側から遮断するように、フック金具３の周囲を囲む保護板材６を装着している。
【００１１】
保護板材６は、金属板若しくは硬質プラスチック板により構成され、ガラス面板７に沿う保護板部６ａと召し合わせ框５ａに固定される取付け部６ｂとが、断面略Ｌ形に形成されている。また保護板部６ａには、施錠装置（フック金具３若しくは施錠金具４）を囲む窓口６ｃを有している。取付け部６ｂは、ボルトやビス、リベット等の固定具１１によって召し合わせ框５ａに固定されているが、接着やスポット溶着により固定してもよい。
【００１２】
また、上記保護板材６とは別に、屋内側の召し合わせ框５ａに、施錠金具４とは反対側で、そのガラス面板７に沿って延びる第２の保護板材８を装備している。これにより、屋内側のガラス面板７を割って、召し合わせ框５ａを迂回して、施錠金具４に手を伸ばすのを防止することができる。なお、ここでの保護板材８は、部品の共通化によるコスト低減を図り、また、屋外側から透視した際、引き戸の外観をデザイン面で整える意図で、保護板材６と共通の形状にするのがよい。
【００１３】
このような構成では、犯罪者が屋外から、屋外側引戸２（あるいは屋内側引戸５）のガラス面板７を割って、施錠装置にアクセスしようとしても、保護板材６（あるいは第２の保護板材８）によって、手を施錠装置に伸ばすことが困難となり、更に、強い破壊強度で、大きくガラス面板７を破壊しなくてはならない。このため、ガラス面板７の破壊に相当に時間を要することとなるので、当初から、第３者による犯罪行為の発覚を恐れて、潜入を断念することにもなる。しかも、僅かに、保護板材を設けるだけのことで、上述の防犯上の効果が得られることは、その経済性からしても、有効である。
【００１４】
まして、施錠個所が複数にも及ぶ場合には、当初から潜入自体を断念させる利点も発揮できる。
【００１５】
このため、本発明では、更には、屋外側引戸２の下框２ｂに装着した補助用施錠金具９の周囲を囲う第３の保護板材１０を装備している。この第３の保護部材１０は、正面形状が略Ｌ形の平板形状であり、その一片の基部を下框２ｂに固定する取付け部とし、他片を補助用施錠金具９の外周を覆い、ガラス面板７と平行の保護板部としている。
【００１６】
なお、ここでの補助用施錠金具９は、下框２ｂに設けたが、上框に設けても良いことは勿論である。また、その構造には、係止爪を屋内側に突出させることで、その先端を屋外側の引戸５の召し合わせ框５ａに係合する一般的構造を採用することができる。
【００１７】
なお、この実施の形態では、施錠金具４とは別に、保護板材６を構成したが、施錠金具４の取付け部４ｂと保護板材６の取付け部６ａとを一体化して構成しても良い。この場合は、框への取付けが簡単となる。また、この実施の形態では、何れの保護板材も、その面をガラス面板から若干離した取付け状態としており、これにより、太陽熱による保護板材の温度上昇が原因で発生するガラス面板の熱割れを回避できる。
【００１８】
尚、本発明が適応される引違い式ガラス引戸は、上記の実施の形態では、一方及び他方の両方とも、移動可能な引戸として構成されている場合について説明したが、一方である片側が嵌め殺しで、他方のみ移動可能な引戸として構成されているものでも良く、本発明の引違い式ガラス引戸は、これを含むものである。
【００１９】
また、本発明の保護構造は、ガラス面板が通常の汎用ガラスで構成されたガラス引戸に適用してもよいが、より一層の犯罪抑止効果を向上させる場合は、合わせガラスで構成されたガラス引戸や汎用ガラス或いは合わせガラスに樹脂フィルムを貼り付けたもので構成されたガラス引戸に適用することがより好ましい。
【００２０】
【発明の効果】
このようにして、本発明によれば、外部からガラス面板を部分的に破壊して、施錠装置に手を伸ばすことを阻止し、犯罪行為を抑止する効果が得られる。
【００２１】
また、本発明に用いる保護板材は、硬質板を断面略Ｌ形に形成した簡単で安価な構造であり、その取付けも容易である。
【００２２】
上記の犯罪抑止効果は、主たる施錠装置の外周を覆う保護板材の他に、隣接するガラス戸のガラス板面を覆う第２の保護板材、若しくは、補助用施錠具の外周のガラス板面を覆う第３の保護板材を併用することにより一層向上する。
【図面の簡単な説明】
【図１】本発明の実施の形態を示す、全体の概略正面図である。
【図２】同じく、要部の一部破断した斜視図である。
【図３】同じく、反対側から示した斜視図である。
【図４】補助用施錠金具の保護板材を示す斜視図である。
【符号の説明】
１　　引戸
２　　屋外側引戸
２ａ　　召し合わせ框
２ｂ　　下框
３　　フック金具
４　　施錠金具
４ａ　　操作部
４ｂ　　取付け部
５　　屋内側引戸
５ａ　　召し合わせ框
６　　保護板材
６ａ　　保護板部
６ｂ　　取付け部
６ｃ　　窓口
７　　ガラス面板
８　　第２の保護板材
９　　補助用施錠金具
１０　　第３の保護板材
１１　　固定具
【図１】
2004092168.tif 000003
【図２】
2004092168.tif 000004
【図３】
2004092168.tif 000005
【図４】
2004092168.tif 000006